(57)【要約】　　　（修正有）【課題】作業性を低下させずに電子部品のガタつきを防止する。【解決手段】ジャンクションボードは合成樹脂からなり、収容部の側壁１３の所要位置で２本のスリットを上端まで切り欠いて第１可動片１４を形成し、第１可動片１４は、先端を自由端として内外方向に可撓性を有し、かつ、その上端で内方に突出した突起１４ａを設け、収容部に収容された電子部品の上面端部を突起１４ａで押さえ付けて抜け止めを図る一方、収容部１１の側壁１３の所要位置をコの字状にスリットＳ１を切り欠いて第２可動片１５を形成し、第２可動片１５は、先端を自由端として内外方向に可撓性を有し、かつ、第２可動片１５の先端内面側に内方に突出した突出部１５ａを設け、電子部品の側面を突出部１５ａで押さえ付けている。【選択図】　図３
2004087753.tif 000002
【特許請求の範囲】
【請求項１】
ジャンクションボード上面に突設された収容部に収容される電子部品のガタつきを防止するものであって、
上記ジャンクションボードは合成樹脂からなり、
上記収容部の側壁の所要位置で２本のスリットを上端まで切り欠いて第１可動片を形成し、該第１可動片は、先端を自由端として内外方向に可撓性を有し、かつ、その上方位置で内方に突出した突起を設け、上記収容部に収容された上記電子部品の上面端部を上記突起で押さえ付けて抜け止めを図る一方、
上記収容部の側壁の所要位置をコの字状にスリットを切り欠いて第２可動片を形成し、該第２可動片は、先端を自由端として内外方向に可撓性を有し、かつ、上記第２可動片の先端内面側に内方に突出した突出部を設け、上記電子部品の側面を上記突出部で押さえ付けていることを特徴とする電子部品のガタつき防止構造。
【請求項２】
上記収容部は四角枠形状とし、上記突出部を有する第２可動片は上記収容部の四辺に夫々設けている請求項１に記載の電子部品のガタつき防止構造。
【発明の詳細な説明】
【０００１】
【発明の属する技術分野】
本発明は、電子部品のガタつき防止構造に関し、詳しくは、自動車用のジャンクションボードの収容部に収容される電子部品のガタつきを防止するものである。
【０００２】
【従来の技術】
自動車に搭載されるコンデンサ等の電子部品を収容するジャンクションボード１は、図６（Ａ）（Ｂ）に示すように、ボード上面に電子部品３の収容部２を突設している。
収容部２は、側壁上端で間隔をあけて突起５を内方に突出していると共に、側壁内面の所要位置に一対のリブ４を設けており、電子部品３を突起５を外方に押し広げながら上方から押し込んで収容部２に収容する。
収容部２に収容された電子部品３は、その上面端部を突起５で押さえ付けて抜け止めが図られていると共に、リブ４で両側を圧接挟持して電子部品３のガタつき及び異音の発生を防止している。
【０００３】
【発明が解決しようとする課題】
しかしながら、収容部２に設けられたリブ４は、収容部２の対向する側壁の間隔が最大になった場合でも電子部品３を挟持できるように想定して、リブ４の突出量Ｌを大きく設定しているので、収容部２に電子部品３を挿入する際に必要な挿入力が増大し、作業性が低下する問題があった。
【０００４】
本発明は、上記問題に鑑みてなされたもので、作業性を低下させることなく、電子部品のガタつきを防止することを課題としている。
【０００５】
【課題を解決するための手段】
上記課題を解決するため、本発明は、ジャンクションボード上面に突設された収容部に収容される電子部品のガタつきを防止するものであって、
上記ジャンクションボードは合成樹脂からなり、
上記収容部の側壁の所要位置で２本のスリットを上端まで切り欠いて第１可動片を形成し、該第１可動片は、先端を自由端として内外方向に可撓性を有し、かつ、その上方位置で内方に突出した突起を設け、上記収容部に収容された上記電子部品の上面端部を上記突起で押さえ付けて抜け止めを図る一方、
上記収容部の側壁の所要位置をコの字状にスリットを切り欠いて第２可動片を形成し、該第２可動片は、先端を自由端として内外方向に可撓性を有し、かつ、上記第２可動片の先端内面側に内方に突出した突出部を設け、上記電子部品の側面を上記突出部で押さえ付けていることを特徴とする電子部品のガタつき防止構造を提供している。
【０００６】
上記構成とすると、上記電子部品を上記収容部に上方から挿入する際に、電子部品の抜け止め用の突起を有する第１可動片が内外方向に撓むので、電子部品を収容部へ収容する際の挿入力を低減することができる。
また、電子部品のガタつき防止用に設けられた突出部を有する第２可動片も内外方向に撓むので、電子部品を収容部へ収容する際の挿入力を低減することができ、作業性が向上する。
【０００７】
さらに、合成樹脂からなる収容部が雰囲気温度の変化等により変形して寸法が多少変化した場合でも、上記第２可動片が内外方向に撓むことにより、その寸法差を吸収して確実にガタつき及び異音の発生を防止することができる。
また、収容部に収容された電子部品は、上面端部を上記突起で押さえ付けられるので、電子部品の抜け止めを図ることができる。
【０００８】
上記収容部は四角枠形状とし、上記突出部を有する第２可動片は上記収容部の四辺に夫々設けていると好ましい。
即ち、上記収容部の対向する四辺の全てに上記ガタつき防止用の突出部を有する第２可動片を設けることで、水平方向のガタつきが確実に防止できる。
【０００９】
【発明の実施の形態】
本発明の実施形態を図面を参照して説明する。
図１は合成樹脂からなるジャンクションボード１０を示し、ボード上面に複数の電子部品３、１６を配置していると共に、各電子部品３、１６間は電線ｗで電気接続されている。
ジャンクションボード１０に配置される複数の電子部品３、１６のうち、主電源回路を構成する電子部品や重量の大きい電子部品１６はボード１０にネジＮ止め固定している一方、コンデンサ等の軽量の電子部品３は収容部２に嵌合収容している。
【００１０】
図２乃至図４に示すように、収容部１１は四角枠形状とし、対向する二辺の側壁１３に２本のスリットＳ２を切り欠いて第１可動片１４を形成していると共に、四辺の側壁１３の中央にコの字状のスリットＳ１を切り欠いて第２可動片１５を形成している。
【００１１】
第１可動片１４は、上端を自由端として内外方向に可撓性を有し、上端に内方に突出した突起１４ａを設けている。
第２可動片１５は、下端を自由端として内外方向に可撓性を有し、下端内面側に内方に突出した突出部１５ａを設けている。
収容部１１の底面１２には、所要位置にリブ１２ａを４箇所突設している。
【００１２】
上記構成の収容部１１に電子部品３を上方から挿入すると、先ず、電子部品３が第１可動片１４の突起１４ａを押し拡げることで、第１可動片１４が離反方向である外方に撓む。さらに電子部品３を挿入していくと、電子部品３の側面が突出部１５ａを押し拡げることで、第２可動片１５が離反方向である外方に撓む。
そして、電子部品３の下面が底面１２より突出したリブ１２ａに当接した時点で、第１可動片１４が近接方向である内方に復元し、収容部１１に収容された電子部品３の上面端部を突起１４ａで押さえ付けて図５に示す状態となる。
【００１３】
上記構成とすると、電子部品３を収容部１１に上方から挿入する際に、電子部品３の抜け止め用の突起１４ａを有する第１可動片１４が内外方向に撓むので、電子部品３を収容部１１へ収容する際の挿入力を低減することができる。
また、電子部品３のガタつき防止用に設けられた突出部１５ａを有する第２可動片１５も内外方向に撓むので、電子部品３を収容部１１へ収容する際の挿入力を低減することができる。
【００１４】
さらに、合成樹脂からなる収容部１１が雰囲気温度の変化等により変形して寸法が多少変化した場合でも、第２可動片１５は内外方向に撓むことにより、その寸法差を吸収して確実にガタつき及び異音の発生を防止することができる。なお、ガタつき防止用の突出部１５ａを有する第２可動片１５は対向する四辺の全てに設けているので、水平方向のガタつきが確実に防止できる。
また、収容部１１に収容された電子部品３は、上面端部を突起で押さえ付けられるので電子部品３の抜け止めも図られる。
【００１５】
【発明の効果】
以上の説明より明らかなように、本発明によれば、上記電子部品を上記収容部に上方から挿入する際に、電子部品の抜け止め用の突起を有する第１可動片と、電子部品のガタつき防止用に設けられた突出部を有する第２可動片が内外方向に撓むので、電子部品を収容部へ収容する際の挿入力を低減でき、作業性が向上する。
また、合成樹脂からなる収容部が雰囲気温度の変化等により変形して寸法が多少変化した場合でも、上記可動片が内外方向に撓むことにより、その寸法差を吸収して確実にガタつき及び異音の発生を防止することができる。
【図面の簡単な説明】
【図１】本発明の実施形態のジャンクションボードの上面図である。
【図２】収容部の上面図である。
【図３】図２のＩ−Ｉ線断面図である。
【図４】図２のＩＩ−ＩＩ線断面図である。
【図５】電子部品を収容した状態の断面図である。
【図６】（Ａ）は従来の収容部の上面図、（Ｂ）はＩＩＩ−ＩＩＩ線断面図である。
【符号の説明】
３　　　　　電子部品
１０　　　　ジャンクションボード
１１　　　　収容部
１２　　　　底面
１３　　　　側壁
１４　　　　第１可動片
１４ａ　　　突起
１５　　　　第２可動片
１５ａ　　　突出部
Ｎ　　　　　ネジ
Ｓ１、Ｓ２　スリット
Ｗ　　　　　電線
【図１】
2004087753.tif 000003
【図２】
2004087753.tif 000004
【図３】
2004087753.tif 000005
【図４】
2004087753.tif 000006
【図５】
2004087753.tif 000007
【図６】
2004087753.tif 000008